(57)【特許請求の範囲】
【請求項１】
手を出し入れできる広さの手挿入部と、前記手挿入部に向かって空気を送出するノズルと、前記ノズルから空気を送出させる高圧空気流発生装置と、前記高圧空気流発生装置を内部に備えたケーシングと、前記ケーシングの外側に設けられ前記ケーシングの一部を覆うカバーと、前記ケーシングと前記カバーのどちらか一方に回転軸を設け他方に前記回転軸が嵌合される軸嵌合部を設けるとともに前記ケーシングに前記カバーが回動可能に設けられた手乾燥装置であって、前記軸嵌合部は前記回転軸の直径より大きい凹状または穴状で、前記軸嵌合部の中で前記回転軸の軸位置が移動し前記ケーシングと前記カバーとの距離を変えられるとともに前記ケーシングと前記カバーを近づける方向へ前記回転軸を付勢する付勢手段とを備えたことを特徴とする手乾燥装置。
【請求項２】
前記回転軸は前記カバーに設けられ、前記軸嵌合部は前記ケーシングに突出して設けられ、前記付勢手段は前記回転軸を前記ケーシングに近づける方向へ付勢することを特徴とする請求項１に記載の手乾燥装置。
【請求項３】
前記回転軸は前記ケーシングに設けられ、前記軸嵌合部は前記カバーに突出して設けられ、前記付勢手段は前記回転軸を前記カバーに近づける方向へ付勢することを特徴とする請求項１に記載の手乾燥装置。
【請求項４】
前記軸嵌合部の凹状または穴状の開口幅は、突出方向において根元側の幅より先端側の幅が狭く、前記付勢手段は前記軸嵌合部の凹状または穴状に開口する内壁の一部を構成した弾性力のある可変支持部であることを特徴とする請求項１に記載の手乾燥装置。
【請求項５】
前記軸嵌合部の根元側の幅が前記回転軸の直径と同等であることを特徴とする請求項４に記載の手乾燥装置。
【請求項６】
前記可変支持部の先端側には前記可変支持部から前記軸嵌合部の側に延びる止め部を備えていることを特徴とする請求項４に記載の手乾燥装置。
【請求項７】
前記カバーは前記ケーシングの正面に設けられていることを特徴とする請求項１に記載の手乾燥装置。
【発明の詳細な説明】
【技術分野】
【０００１】
本発明は、洗浄後の濡れた手を乾燥させるための手乾燥装置に関するものである。
【背景技術】
【０００２】
従来より、温風空気や高速空気を濡れた手に当てることで手を乾燥させる手乾燥装置が知られている。例えば、特開平６−３０４０９０号公報には、吸気口と吐出口とを有するハウジングと、吸込口から空気を吸い込んで吐出口に送風するファンを備え、ハウジングの正面に消臭／手乾燥切替スイッチが設けられた手乾燥装置が開示されている。
【０００３】
また、特開２０００−１７９号公報には、風が吸込み口、風路部を経由してブロアブロックに引き込まれ、吹き出し口から手挿入部に風を吹き出して手を乾燥させる手乾燥装置で、本体ハウジングに電源スイッチ、ヒータ入り切りスイッチ、風量の強弱を選択するための風量切替スイッチが設けられた手乾燥装置が開示されている。
【先行技術文献】
【特許文献】
【０００４】
【特許文献１】特開平６−３０４０９０号公報（請求項１、段落「００３８」、図１    ）
【特許文献２】特開２０００−１７９号公報（請求項１、段落「００２２」、図１）
【発明の概要】
【発明が解決しようとする課題】
【０００５】
従来の手乾燥装置では、ハウジングの正面に切替スイッチなどの操作スイッチを設けていたので、最も目立つ場所に操作スイッチがあり、意匠性が非常に悪いという問題があった。また、ハウジングの側面に電源スイッチや切替スイッチなどの操作スイッチを設けていたので、意匠性が悪いとともに、手乾燥装置の側面に壁があるような場所では壁により操作スイッチが見え辛くなったり操作がし辛くなってしまうため壁から離して設置する必要があり、狭いトイレなどで設置性が悪いという問題があった。また、ハウジングの正面または側面に操作スイッチを設けていたので、手洗い時に洗面器から飛び散った水滴や、手乾燥装置の使用時に濡れた手から飛び散った水滴が操作スイッチにかかりやすいという問題や、使用者から操作スイッチが見えるため使用者が勝手に操作するなど悪戯されるという問題もあった。
【０００６】
本発明は、上記課題を解決するためになされたもので、本体外殻に操作スイッチなどを設けながら意匠性と設置性を向上させた手乾燥装置を得るものである。
【０００７】
また、使用者の悪戯防止と操作スイッチへの水滴の付着を防止させた手乾燥装置を得るものである。
【課題を解決するための手段】
【０００８】
この発明に係る手乾燥装置においては、手を出し入れできる広さの手挿入部と、手挿入部に向かって空気を送出するノズルと、ノズルから空気を送出させる高圧空気流発生装置と、高圧空気流発生装置を内部に備えたケーシングと、ケーシングの外側に設けられケーシングの一部を覆うカバーと、ケーシングとカバーのどちらか一方に回転軸を設け他方に回転軸が嵌合される軸嵌合部を設けるとともにケーシングにカバーが回動可能に設けられた手乾燥装置であって、軸嵌合部は回転軸の直径より大きい凹状または穴状で、軸嵌合部の中で回転軸の軸位置が移動しケーシングとカバーとの距離を変えられるとともにケーシングとカバーを近づける方向へ回転軸を付勢する付勢手段を備えたものである。
【発明の効果】
【０００９】
外殻の外観意匠性を損なうことなく外殻に開閉可能なカバーを有する手乾燥装置を得ることができる。
【図面の簡単な説明】
【００１０】
【図１】この発明の実施の形態１に係る手乾燥装置の外観を示す斜視図である。
【図２】この発明の実施の形態１に係る手乾燥装置の側面図である。
【図３】この発明の実施の形態１に係る手乾燥装置の平面図である。
【図４】この発明の実施の形態１に係る手乾燥装置の側面断面図である。
【図５】この発明の実施の形態１に係る手乾燥装置で、図２中のＡ−Ａ断面による平    面断面図である。
【図６】この発明の実施の形態１に係る手乾燥装置カバー１６を開いた状態の外観を    示す斜視図である。
【図７】この発明の実施の形態１に係る手乾燥装置で、図２中のＢ−Ｂ断面による平    面断面図である（ケーシング１の内部構成などは省略）。
【図８】この発明の実施の形態１に係る手乾燥装置で、図７のＣ部の拡大図である。
【図９】この発明の実施の形態１に係る手乾燥装置で、図８においてケーシング１の    形状のみを示す平面断面の説明図である。
【図１０】この発明の実施の形態１に係る手乾燥装置で、図８においてカバー１６の    形状のみを示す平面断面の説明図である。
【図１１】この発明の実施の形態１に係る手乾燥装置で、カバー１６の開閉時の動作    を説明する説明図である。
【図１２】この発明の実施の形態１に係る手乾燥装置で、カバー１６をケーシング１    から取り外した状態を説明する説明図である。
【発明を実施するための形態】
【００１１】
実施の形態１．
図１は本発明の実施の形態１に係る手乾燥装置の外観を示す斜視図、図２は側面図、図３は平面図、図４は側面断面図である。図１〜図４に示すように、手乾燥装置の外殻をなすケーシング１は、正面に手挿入口２を有し、手挿入口２に続く処理空間として手挿入部３を備えており、手を挿抜できるようにしてある。手挿入部３は、ケーシング１の正面下部に、正面と両側面が開放した開放シンク状の凹部として形成され、下部を形成する水受け部４と奥側とにはその端縁部に曲面構成の立ち上がりによる防壁構造５が設けられ、側方や前方に水が飛散しないようになっている。水受け部４の底部は前方に向かって下傾していて、その傾斜下端に排水口６が設けられている。水受け部４の下方には排水口６から滴下する水を貯留するドレン容器７が抜き差し自在に設けられている。なお、手挿入部３の内面には、シリコン系もしくはフッ素系等の撥水性コーティング、酸化チタン等の親水性を有するコーティング、又は抗菌剤が含浸され、内面に汚れが付着するのを軽減したり、細菌が繁殖するのを低減するようにしてある。手挿入部３の上部には、手挿入部３に向かって下方に高速空気を吹き出すノズル１２が設けられ、ノズル１２の背面側の近傍には手挿入部３の中の手の有無を検知する手検知センサー１４が設けられている。
【００１２】
手挿入部３の上方でケーシング１と背面側の手乾燥装置の外殻をなすベース８とで構成された箱体状の空間内には、ＤＣブラシレスモーター（ 整流子モーター又は誘導電動機でもよい） とＤＣブラシレスモーターによって回転するターボファンとにより構成された高圧空気流発生装置９と、高圧空気流発生装置９の吸気側と手挿入部３より上方でケーシング１の正面に設けられた内部吸気口１０を連通する内部吸気通路１１と、高圧空流発生装置９の排気側とノズル１２とを連通する排気通路１３と、手検知センサー１４の手の検知に応じて高圧空気流発生装置９を運転させる制御回路（図示せず）が組み込まれている。排気通路１３の途中でノズル１２より上流側近傍には高圧空気流発生装置９から送られてくる空気を加熱して温風化させるヒーター１５が設けられている。また、手挿入部３の上部でケーシング１の正面の外側には、手乾燥装置の外殻を成し、左側の端がケーシング１に回転可能に支持されて手乾燥装置の正面側に開閉自在で、かつケーシング１から着脱することもできるカバー１６が取り付けられている。
【００１３】
図５は本発明の実施の形態１に係る手乾燥装置で図２中のＡ−Ａ断面による平面断面図である。図５に示すように、ケーシング１の左右の側面の一部を背面側から前面側に向かって前面側が左右方向において中央側になるように傾斜部１７ａを設け、ケーシング１の正面と側面との稜線の一部および側面の一部が凹む凹部１７を設けている。カバー１６を閉じた状態では、カバー１６の外周は、凹部１７以外はケーシング１に当接し、凹部１７にはカバー１６と当接せずに形成された外部に向かって開口する外部吸気口１８がカバー１６とケーシング１によって、カバー１６とケーシング１に跨って構成されている。また、カバー１６の外周より内側には、カバー１６とケーシング１で構成された内部吸気口１０と外部吸気口１８を連通する外部吸気通路１９が、カバー１６とケーシング１に跨って構成されている。
【００１４】
図６は、本発明の実施の形態１に係る手乾燥装置のカバー１６を開いた状態の外観を示す斜視図である。図６に示すように、カバー１６を開いて現れるケーシング１の正面には、ケーシング１に設けられた内部吸気口１０を覆い、外部吸気口１８から外部吸気風路１９を通って内部吸込口１０から高圧空気流発生装置９へ吸い込まれる空気中の塵埃を除去する樹脂製または金属製のフィルター２０が前後方向の抜き差し動作で着脱できるようにケーシング１に取付けられている。フィルター２０の面積は外部吸気口１８および外部吸気通路１９の通風方向に対する断面積よりも大きくしてある。ケーシング１の正面でフィルター２０の近傍には、操作スイッチ２１がその操作部が正面側に向かうように設けられ、使用者が正面側から視認し操作しやすくなっている。操作スイッチ２１には、制御回路（図示せず）への通電の入り切りを行う電源スイッチ２１ａと、ノズル１２からの吹き出し風の風速の強弱を切り替えたり、ヒーター１５の入り切りを行う切替スイッチ２１ｂがある。尚、フィルター２０はＨＥＰＡフィルターや抗菌フィルターであってもよい。
【００１５】
次にケーシング１とカバー１６との開閉構造について説明する。図７は本発明の実施の形態１に係る手乾燥装置で図２中のＢ−Ｂ断面によるケーシング１とカバー１６の開閉機構を示す平面断面図であり、ケーシング１内の構成などは省略してある。また図８は図７のＣ部の拡大図である。図９は図８においてケーシング１の形状のみを示す平面断面の説明図であり、図１０は図８においてカバー１６の形状のみを示す平面断面の説明図である。図６〜図１０に示すように、カバー１６の内面で手乾燥装置の正面から見て左側の外側付近で上下方向に間隔をおいて２箇所に、カバー１６の内面から突出したアーム３０がカバー１６と一体でそれぞれ設けられ、それぞれのアーム３０の先端には鉛直方向に中心軸のある円柱状の回転軸３１が設けられている。また、ケーシング１の正面で手乾燥装置の正面から見て左側の外側付近で上下方向に間隔をおいた２箇所でそれぞれのアーム３０に対応する位置に、ケーシング１に一体で軸保持部３２がそれぞれ設けられている。軸保持部３２は、ケーシング１の正面からカバー１６に向かって突出した突起状で弾性があり付勢手段としても機能する可変支持部３４と、手乾燥装置の左右方向において可変支持部３４より外側の位置に可変支持部３４と間隔をあけてケーシング１の正面からカバー１６に向かって突出した突起状の固定支持部３５と、可変支持部３４と固定支持部３５とケーシング１とで構成された凹状の開口空間である軸嵌合部３３で構成されている。
【００１６】
軸嵌合部３３の左右方向の開口幅は、軸嵌合部３３の突出方向において根元側である可変支持部３４と固定支持部３５の根元付近では回転軸３１の直径と同じ長さであるとともに、軸嵌合部３３の先端側になるほど小さくなり、開口の幅が狭く先細りの形状になっている。また、固定支持部３５より更に突出した可変支持部３４の先端付近は、軸嵌合部３３側に概ね９０°で曲がって延び、軸嵌合部３３の先端側の開口を概ね閉じるように止め部３６が設けられている。また、軸嵌合部３３の開口の根元から先端までの突出方向の長さは回転軸３１の直径より長く、回転軸３１の２〜３倍の長さになっている。
【００１７】
カバー１６に設けられた２つの回転軸３１はケーシング１に設けられた２つの軸嵌合部３３にそれぞれ嵌め込まれて軸嵌合部３３で回転軸３１が回動可能に軸支持されており、カバー１６が回転軸３１を支点に回動可能に構成されている。また、回転軸３１は軸嵌合部３３の開口の根元から先端の間で軸嵌合部３３の開口の内壁の一部を構成する可変支持部３４を弾性変形させながら移動でき、カバー１６を手乾燥装置の前後方向に移動させケーシング１から離したり密着させるように移動させることができる。また、変形された可変支持部３４は、弾性力があり回転軸を軸嵌合部３３の根元側へ移動させるように付勢されており、カバー１６を手乾燥装置の背面方向に向かってケーシング１に密着させるように付勢している。
【００１８】
また、カバー１６の内面で手乾燥装置の正面から見て右側の外側付近には、透磁性のある金属プレート３７が設けられ、ケーシング１の正面で手乾燥装置の正面から見て右側の外側付近で金属プレートに対応する位置にはマグネット３８が設けられており、カバー１６を閉じたときに金属プレート３７とマグネット３８が当接してカバー１６が勝手に開かないように固定している。
【００１９】
尚、本実施の形態１では、カバー１６が勝手に開かないように金属プレート３７とマグネット３８を設けた実施例を示したが、一方が凸状で他方凹状で互いを嵌合させることで固定されるラッチなどを用いてもよい。また、本実施の形態１では、回転軸３１をカバー１６に設け軸保持部３２をケーシング１に設けた実施例を示したが、回転軸３１をケーシング１に設け軸保持部３２をカバー１６に設けてもよい。また、本実施の形態１では、凹状の開口を有する軸嵌合部３３の実施例を示したが、長穴の穴形状でもよい。
【００２０】
次に手を乾燥させる使用時の動作について説明する。カバー１６を開き、電源スイッチ２１ａを入り（ＯＮ）にすると、制御回路（図示せず）に通電されカバー１６を閉じて使用可能状態となる。そして、使用者が濡れた手を手挿入口２から手挿入部３ 内に手首付近まで入れると、手検知センサー１４ によって手の挿入が検知され、制御回路（図示せず）の処理により高圧空気流発生装置９が作動する。高圧空気流発生装置９が作動すると、手乾燥装置の外の空気がケーシング１に設けられた傾斜部１７ａおよび吸気口壁２２に沿って背面側から正面側に向かって流れて外部吸気口１８から吸い込まれる。外部吸気口１８から吸い込まれた空気は、外部吸気風路１９を通り、フィルター２０で塵埃が除去されて内部吸気口１０に吸い込まれる。
【００２１】
内部吸気口１０に吸い込まれた空気は、内部吸気風路１１を通って、内部吸気口１０の位置より一旦上がり、高圧空気流発生装置９の上方を通って背面側に向かい、下方に移動して高圧空気流発生装置９の吸込側から吸い込まれる。高圧空気発生装置９は吸気側から吸い込んだ空気を排気側から高圧空気に変換して排気し、排気された高圧空気は排気風路１３を通りノズル１２ から高い運動エネルギーを持つ高速空気流に変換され手挿入部３内に下方に向かって吹き出される。ノズル１２から吹き出された高速空気流は、手挿入部３に挿入されている濡れた手に当り、手に付着した水分を手の表面から剥離して吹き飛ばして手を乾燥させることができる。さらに、手挿入部３ 内で手を挿抜させることによって、手全体に付着していた水滴がすべて排除され、手が乾燥処理される。尚、切替スイッチ２１ｂでヒータスイッチを入り（ＯＮ）にしている場合には、ヒーター１５が通電され排気風路１３を通る高圧空気が加熱されるため、ノズル１２からは温風が吹き出され冬場などにおいても使用感がよい。
手の乾燥処理終了後、手を手挿入部３ から抜き出すと、手が抜かれたことを手検知センサー１４ が検知し、高圧空気流発生装置９が停止する。手から吹き飛ばされた水滴は、前傾構造の水受け部４において排水口６に向かって流下し、排水口６ からドレン容器７に収容される。
【００２２】
次のカバー１６の開閉動作について説明する。図１１はこの発明の実施の形態１に係る手乾燥装置で、カバー１６の開閉時の動作を説明する説明図で、図１１のａはカバー１６が閉じている状態、図１１のｂはカバー１６を開く途中の状態、図１１のｃはカバー１６を概ね９０°開いた状態である。カバー１６が閉じているときは、図１１のａに示す状態になっている。そして作業者が手乾燥装置の右側の凹部１７からカバー１６の左右の外周付近を引っ掛けてカバー１６を手前に引くと、カバー１６の左側の側端部のＰ部とケーシング１の正面の左側の側端部のＱ部が当接したままＰ部とＱ部を支点としてカバー１６が開き、回転軸３１は軸嵌合部３３の中で可変支持部３４を弾性変形させながら手乾燥装置に正面側に移動していく。カバー１６の開きを大きくすると、回転軸３１が軸嵌合部３３の中で更に正面側に移動するとともにＰ部がＱ部に当接したまま外側に移動し、更にカバー１６の開きを大きくすると図１１のｂに示すようにＰ部がＱ部の外側まで移動し、これよりカバー１６が開いた状態では回転軸３１を支点としてカバー１６が回動するようになる。そして、図１１のｃに示すようにカバー１６がケーシング１の正面に対して概ね９０°まで開くことができる。カバー１６を概ね９０°まで開くと、回転軸３１が軸嵌合部３３から外れないように止め部３６が回転軸３１に当り、ケーシング１からのカバー１６の脱落を防止している。カバー１６を閉じる場合は上記の動作と逆の動作で、カバー１６が閉じられるに従って回転軸３１を支点とする回動から、Ｐ部とＱ部での支点による回動に変わり、回転軸３１は可変支持部３４の弾性力で軸嵌合部３３の中で手乾燥装置の背面側（ケーシング１側）に向って移動する。そしてカバー１６の右側外周がケーシング１に当接して完全に閉じられると、可変支持部３４の弾性力で回転軸３１がケーシング１側に押されてカバー１６の左側の外周もケーシング１に当接し、外部吸気口１８を除くカバー１６の外周の全てケーシング１に当接する。
【００２３】
また図１２は、図６のカバー１６を外した状態の手乾燥装置の外観を示す斜視図である。カバー１６を９０°以上に開いた場合には、回転軸３１の止め部３６が弾性変形して回転軸３１が外側に移動し軸嵌合部３３から外れることで、カバー１６がケーシング１から外すことができる。外したカバー１６は、概ね９０°開いた状態で回転軸３１を軸嵌合部３３に押し込むことで止め部３６や可変支持部３４が弾性変形し、軸嵌合部３３の中に回転軸３１を移動させて、ケーシング１にカバー１６を元通りに取り付けることができる。
【００２４】
次に清掃メンテナンスに作業について説明する。手乾燥装置の使用とともにフィルター２０には塵埃が堆積して圧力損失が大きくなり、ノズル１２から吹き出される高速空気の勢いが弱くなってしまうため、フィルター２０を定期的に清掃する必要がある。フィルター２０を清掃する場合は、正面側からカバー１６の右側を手前に引いて正面側に開き、操作スイッチ２１およびフィルター２０を露出させ、操作スイッチ２１の一つである電源スイッチ２１ａを切り（ＯＦＦ）にしてから、フィルター２０を手前に引きケーシング１からフィルター２０を離脱させて清掃を行う。また、カバー１６を開くことで外部吸気風路１９および右側の外部吸気口１８を二分割に分離して外部吸気風路１９および右側の外部吸気口１８の内側全体を露出させ、更にカバー１６をケーシング１から取り外すことで左側の外部吸気口１８も二分割に分離して左側の外部吸気口１８の内側全体も露出させ、外部吸気風路１９および外部吸込口１８の通風される内側全体の表面についた塵埃を布などで拭いて清掃する。
【００２５】
以上の構成の手乾燥装置によれば、回転軸３１と軸嵌合部３３を支点とする回動によりカバー１６を開閉できるとともに、軸嵌合部３３の中で回転軸３１の位置を移動可能に支持しているので、開閉するカバー１６の側端部のＰ部やケーシング１の側端部のＱ部に回転軸３１を設けなくてもカバー１６の開き動作とともにＰ部とＱ部が当接したあとＰ部とＱ部を支点として回転軸３１がケーシング１から離れる方向に移動するためカバー１６を開くことができる。そのため、カバー１６の最外周やケーシング１の最外周より内側の位置に回転軸３１や軸嵌合部３３を設けることができ、カバー１６をケーシング１に閉じたとき、回転軸３１や軸嵌合部３３が露出せず外部から見えないため手乾燥装置の外殻の外観意匠性を損なうことがないとともに、ケーシング１やカバー１６の外側面である手乾燥装置の外殻に凹凸がなくなるので清掃性を向上させることができる。また、カバー１６を閉じたとき、外部に露出して見えるケーシング１とカバー１６との接合面である境界を手乾燥装置の正面ではなく側面や上面などに位置させることができるので手乾燥装置の外殻の外観意匠性を損なうことがない。
【００２６】
また、回転軸３１は付勢手段である可変支持部３４の弾性力で付勢されているので、カバー１６とケーシング１を近づける方向（本実施の形態１では回転軸３１をケーシング１に近づける方向）に付勢され、カバー１６の右側外周がケーシング１に当接して完全に閉じられると、可変支持部３４の弾性力でカバー１６の左側の外周もケーシング１に当接させ、外部吸気口１８を除くカバー１６の外周の全てケーシング１に当接させることができるので、外部に露出して見えるケーシング１とカバー１６との接合面の境界に隙間がなく手乾燥装置の外殻の外観意匠性を損なうことがないとともに、手乾燥装置が動作して生じる高圧空気流発生装置９やノズル１２から吹き出される高速空気などの振動によってカバー１６がケーシング１と接触したり離れたりするがたつきにより発生する騒音を防止することができる。
【００２７】
また、可変支持部３４の先端付近は、軸嵌合部３３側に概ね９０°で曲がって延び、軸嵌合部３３の先端側である開口を概ね閉じるように止め部３６が設けられているので、カバー１６を概ね９０°まで開いても、止め部３６が回転軸３１に当って回転軸３１が軸嵌合部３３から外れないためケーシング１からのカバー１６が不用意に脱落することを防止できる。また、カバー１６を９０°以上に開いた場合には、回転軸３１の止め部３６が弾性変形して回転軸３１が外側に移動し軸嵌合部３３から外れるので、カバー１６をケーシング１から外すことができ、カバー１６、ケーシング１の正面、外部吸気口１８、外部吸気通路１９の清掃を実施しやすい。また、カバー１６を９０°以上開いてカバー１６を外すためには可変支持部３４を弾性変形させたまま更に止め部３６を弾性変形させる必要がありカバー１６を０〜９０°まで開く力以上の力が必要となるので、カバー１６の開閉動作とカバー１６の外し動作の区別ができ、カバー１６を開く作業者の意思に反してカバー１６が脱落してしまうことを防止できる。
【００２８】
また、カバー１６を０〜９０°の範囲で開いた状態で、意図せずに作業者などがカバー１６にぶつかってしまっても、カバー１６がケーシング１から外れるので、回転軸３１や軸嵌合部３３が破損してしまうことを防止できる。
【００２９】
また、カバー１６はケーシング１の正面に設けられているので、手乾燥装置が床に直に設置される場合や手乾燥装置の側面の近傍に建物の壁がある場合などの設置環境でも、正面側からのアクセスで支障なくカバー１６を開閉して清掃することができるので、狭いトイレなどでの設置性を向上させることができる。
【００３０】
また、カバー１６で操作スイッチ２１を露出しないように覆っているので、手洗い時に洗面器から飛び散った水滴や、手乾燥装置の使用時に濡れた手から飛び散った水滴が操作スイッチ２１にかかることがなく、不特定の使用者から操作スイッチ２１が見えることがないために使用者に勝手に操作されるなどの悪戯も防止することができる。
【符号の説明】
【００３１】
１  ケーシング
２  手挿入口
３  手挿入部
４  水受け部
５  防壁構造
６  排水口
７  ドレン容器
８  ベース
９  高圧空気流発生装置
１０  内部吸気口
１１  内部吸気通路
１２  ノズル
１３  排気通路
１４  手検知センサー
１５  ヒーター
１６  カバー
１７  凹部
１８  外部吸気口
１９  外部吸気通路
２０  フィルター
２１  操作スイッチ
３０  アーム
３１  回転軸
３２  軸保持部
３３  軸嵌合部
３４  可変支持部（付勢手段）
３５  固定支持部
３６  止め部
３７  金属プレート
３８  マグネット
Ｐ部  カバー１６の左側の側端部
Ｑ部  ケーシング１の正面の左側の側端部
【図１】
0005644708.tif 000002
【図２】
0005644708.tif 000003
【図３】
0005644708.tif 000004
【図４】
0005644708.tif 000005
【図５】
0005644708.tif 000006
【図６】
0005644708.tif 000007
【図７】
0005644708.tif 000008
【図８】
0005644708.tif 000009
【図９】
0005644708.tif 000010
【図１０】
0005644708.tif 000011
【図１１】
0005644708.tif 000012
【図１２】
0005644708.tif 000013